(57)【要約】【課題】  ３Ｄ図面を紙出力する際に、印刷範囲外に配置された為、出力先に表記されない属性情報をオペレータに認識させる。【解決手段】  ３次元空間上に、モデルと属性配置平面と属性配置推奨領域と属性情報が有り、属性配置推奨領域外に配置された属性情報をＣＡＤ上、あるいは紙等の出力先で識別可能にするという特徴を有する。【選択図】  図１
2005174078.tif 000002
【特許請求の範囲】
【請求項１】
３次元モデルに対する属性情報が配置される属性配置平面を前記３次元モデルと同一の３次元空間上に仮想的に表示する表示手段と、
前記属性配置平面に属性配置推奨領域を設定する領域設定手段と、
前記属性情報の配置が前記属性配置推奨領域の領域内あるいは領域外かを判定する領域照合手段と、
前記領域照合手段による結果を報知する報知手段とを有することを特徴とする情報処理装置。
【請求項２】
前記領域照合手段による結果を送信する送信手段を有し、該送信手段により前記結果を他の機器において報知する報知手段を有することを特徴とする特許請求項第１項に記載の情報処理装置。
【請求項３】
前記報知手段は、前記領域照合手段の照合結果として、前記属性情報を識別可能に表示して報知する報知手段であることを特徴とする特許請求項第１項に記載の情報処理装置。
【請求項４】
前記報知手段は、前記領域照合手段の照合結果として、前記属性配置推奨領域の前記属性情報が関連付けられている前記属性配置平面を識別可能に表示して報知する報知手段であることを特徴とする特許請求項第１項に記載の情報処理装置。
【請求項５】
前記報知手段は、前記領域照合手段の照合結果として、前記属性情報が関連付いている３次元モデルの要素を識別可能に表示して報知する報知手段であることを特徴とする特許請求項第１項に記載の情報処理装置。
【請求項６】
前記属性配置推奨領域内の画像情報をプリントデータとして出力する出力手段を有することを特徴とする特許請求項第１項に記載の情報処理装置。
【請求項７】
前記出力手段は、前記領域照合手段の照合結果情報を前記プリントデータに付記することを特徴とする特許請求項第６項に記載の情報処理装置。
【請求項８】
前記出力手段は、前記領域照合手段の照合結果情報を前記属性配置推奨領域内の前記プリントデータとは異なるプリントデータに盛り込むことを特徴とする特許請求項第６項に記載の情報処理装置。
【請求項９】
前記出力手段は、前記領域照合手段の照合結果として得られる前記属性配置推奨領域外の前記属性情報の状況を表す情報を前記プリントデータに付記することを特徴とする特許請求項第６項に記載の情報処理装置。
【請求項１０】
前記領域設定手段は、前記領域照合手段の照合結果に基づき前記属性配置推奨領域を再設定することを特徴とする特許請求項第１項に記載の情報処理装置。
【請求項１１】
前記属性情報を前記属性配置推奨領域内への配置を禁止する領域配置禁止手段を有することを特徴とする特許請求項第１項に記載の情報処理装置。
【請求項１２】
前記属性情報を前記属性配置推奨領域外への配置を禁止する領域配置禁止手段を有することを特徴とする特許請求項第１項に記載の情報処理装置。
【請求項１３】
３次元モデルに対する属性情報が配置される属性配置平面を前記３次元モデルと同一の３次元空間上に仮想的に表示する表示工程と、
前記属性配置平面に属性配置推奨領域を設定する領域設定工程と、
前記属性情報の配置が前記属性配置推奨領域の領域内あるいは領域外かを判定する領域照合工程と、
前記領域照合工程による結果を報知する報知工程とを有することを特徴とする情報処理方法。
【請求項１４】
前記領域照合工程による結果を送信する送信工程を有し、該送信工程により前記結果を他の機器において報知する報知工程を有することを特徴とする特許請求項第１３項に記載の情報処理方法。
【請求項１５】
前記報知工程は、前記領域照合工程の照合結果として、前記属性情報を識別可能に表示して報知する報知工程であることを特徴とする特許請求項第１３項に記載の情報処理方法。
【請求項１６】
前記報知工程は、前記領域照合工程の照合結果として、前記属性配置推奨領域の前記属性情報が関連付けられている前記属性配置平面を識別可能に表示して報知する報知工程であることを特徴とする特許請求項第１３項に記載の情報処理方法。
【請求項１７】
前記報知工程は、前記領域照合工程の照合結果として、前記属性情報が関連付いている３次元モデルの要素を識別可能に表示して報知する報知工程であることを特徴とする特許請求項第１３項に記載の情報処理方法。
【請求項１８】
前記属性配置推奨領域内の画像情報をプリントデータとして出力する出力工程を有することを特徴とする特許請求項第１３項に記載の情報処理方法。
【請求項１９】
前記出力工程は、前記領域照合工程の照合結果情報を前記プリントデータに付記することを特徴とする特許請求項第１８項に記載の情報処理方法。
【請求項２０】
前記出力工程は、前記領域照合工程の照合結果情報を前記属性配置推奨領域内の前記プリントデータとは異なるプリントデータに盛り込むことを特徴とする特許請求項第１８項に記載の情報処理方法。
【請求項２１】
前記出力工程は、前記領域照合工程の照合結果として得られる前記属性配置推奨領域外の前記属性情報の状況を表す情報を前記プリントデータに付記することを特徴とする特許請求項第１８項に記載の情報処理方法。
【請求項２２】
前記領域設定工程は、前記領域照合工程の照合結果に基づき前記属性配置推奨領域を再設定することを特徴とする特許請求項第１３項に記載の情報処理方法。
【請求項２３】
前記属性情報を前記属性配置推奨領域内への配置を禁止する領域配置禁止工程を有することを特徴とする特許請求項第１３項に記載の情報処理方法。
【請求項２４】
前記属性情報を前記属性配置推奨領域外への配置を禁止する領域配置禁止工程を有することを特徴とする特許請求項第１３項に記載の情報処理方法。
【発明の詳細な説明】
【技術分野】
【０００１】
本発明は情報処理装置及び方法に関し、特に、３ＤＣＡＤを用いて３Ｄモデル（３Ｄ形状）と属性情報を作成する情報処理装置及び方法に関する。
【背景技術】
【０００２】
従来、３Ｄ−ＣＡＤを用いて、商品や製品を構成する部品、ユニット等の３Ｄの形状を有する物品（以下、単に部品という）の設計を行っていた。該設計においては、３Ｄ−ＣＡＤで、部品の３Ｄモデルを作成し、該３Ｄモデルに対し寸法、寸法公差、幾何公差、注記、記号などの属性情報を入力していた。該属性情報は３Ｄもデルあるいは３Ｄモデルの面、稜線、あるいは頂点等の要素に対し付加される。
【０００３】
上記３Ｄモデルおよび属性情報は、部品の加工、検査、組み立て、あるいはメンテナンス等を行うための情報であり、入力するオペレータ＝設計者から、見るオペレータ＝加工、製造、検査等の技術者に、情報が分かりやすく、効率的に、間違うことなく、伝達されるものでなくてはならない。
【０００４】
本出願人は、上記３Ｄモデルに対する属性情報の付加に際し、操作性および視認性良く、かつ効率的に属性情報を付加すること、また付加された属性情報を効率よく利用すること、また３Ｄモデルと属性情報を活用し部品作成を効率良く行うこと等を目的として、属性情報が関連付けられる仮想的な平面を設定する属性配置平面設定手段と、該仮想的な平面に前記属性情報を関連付けて記憶する記憶手段を有する情報処理装置を開示している（特許文献１参照）。
【０００５】
また、上記３Ｄモデルおよび属性情報は、設計者あるいは各種技術者によるチェック結果あるいは検討結果の書き込み等のため、紙等の記録媒体への印刷がなされるものである。該印刷された記録媒体は、持ち運びの容易さ、コンピュータ端末の場所に依存せず見る場所の自由度、ペン等で書き込めるという記録媒体への書き込みの簡単さ、あるいは複数人で見ることが容易等のメリットを有する。３ＤＣＡＤの３Ｄモデルおよび属性情報をプリンタ等で紙等の記録媒体に出力する際、ＣＡＤ画面上に属性配置平面へ関連付けた全ての属性情報とモデル形状とが表示されるように、画面表示をマニュアルで表示方向を指定し、拡大縮小し、この画面表示内容を出力していた。
【０００６】
ここでいう属性情報とは、距離（長さ、幅、厚さ等）、角度、穴径、半径、面取り等の寸法、および、該寸法に付随する寸法公差、幾何公差等である。
【特許文献１】特開２００２−３２４０８４
【特許文献２】特開２００２−３２４０８６
【発明の開示】
【発明が解決しようとする課題】
【０００７】
上記従来例の如き、３Ｄ−ＣＡＤを用いた情報処理装置、特に本出願人が開示する情報処理装置においては、設計者の設計行為、すなわち求められる仕様を満足するため、部品を配置するスペースのため、関係する部品間の位置関係のため、あるいは各種検討結果の反映等による３Ｄモデルの形状作成、および公差計算あるいは各種検討結果の反映等による属性情報の作成は原則３Ｄ−ＣＡＤのみで実行されるものである。当然いわゆる図面の表題欄あるいは記事等の設計情報は必要に応じ３Ｄ−ＣＡＤ以外の手段も使用されるものである。
【０００８】
さて、３Ｄモデルの形状および属性情報を作成した３Ｄ−ＣＡＤの情報は、前述した如く設計者あるいは各種技術者によるチェックあるいは検討の書き込み等のため、紙等の記録媒体への印刷が必要となる。こうした状況において、ディスプレイの大きさおよび解像度という物理的制約のため、大型の部品の場合、ビューポート内に部品全体を表示した状態で印刷するには画面表示を縮小する必要が有り、その結果３Ｄモデルの形状のみならず属性情報も読み取れなくなってしまう。
【０００９】
また、印刷結果を所望の尺度で得るためには、ビューポート上の３Ｄモデルの表示サイズと印刷結果を比較し、キャリブレーションするという操作が必要となってしまう。さらに、モデル近傍に属性情報を配置する箇所が無く、仮置きという形でモデルから離れた箇所に配置すると、その配置箇所が印刷範囲外であった場合、必要な属性情報が出力先に記載されない。そこで、本発明は印刷領域外に配置された属性情報をオペレータに分かりやすくその旨を通知し、確実に必要情報を伝達することを目的とする。
【課題を解決するための手段】
【００１０】
３次元モデルに対する属性情報が配置される属性配置平面を前記３次元モデルと同一の３次元空間上に仮想的に表示する表示手段と、前記属性配置平面に属性配置推奨領域を設定する領域設定手段と、前記属性情報の配置が前記属性配置推奨領域の領域内あるいは領域外かを判定する領域照合手段と、前記領域照合手段による結果を報知する報知手段とを有することにより、属性情報の配置箇所を把握できることから上記目的を達成しうるものである。
【００１１】
前記領域照合手段による結果を送信する送信手段を有し、該送信手段により前記結果を他の機器において報知する報知手段を有することにより、オペレータが設定領域外の情報を把握しやすくなることから、上記目的を達成しうるものである。
【００１２】
前記報知手段は、前記領域照合手段の照合結果として、前記属性情報を識別可能に表示して報知する報知手段であることにより、ＣＡＤ画面上で属性配置推奨領域外の属性情報を把握し易くなることから、上記目的を達成しうるものである。
【００１３】
前記報知手段は、前記領域照合手段の照合結果として、前記属性配置推奨領域の前記属性情報が関連付けられている前記属性配置平面を識別可能に表示して報知する報知手段であることにより、出力先においてもＣＡＤ上での属性配置推奨領域外の属性情報を把握しやすくなることから、上記目的を達成しうるものである。
【００１４】
前記報知手段は、前記領域照合手段の照合結果として、前記属性情報が関連付いている３次元モデルの要素を識別可能に表示して報知する報知手段であることにより、出力先において属性配置推奨領域外の属性情報を把握できることから、上記目的を達成しうるものである。
【００１５】
前記属性配置推奨領域内の画像情報をプリントデータとして出力する出力手段を有することにより、紙等の出力先において属性配置推奨領域外の属性情報の配置を把握し易くなることから、上記目的を達成しうるものである。
【００１６】
前記出力手段は、前記領域照合手段の照合結果情報を前記プリントデータに付記することにより、紙等の出力先において属性配置推奨領域外の属性情報の存在を認識できることから、上記目的を達成しうるものである。
【００１７】
前記出力手段は、前記領域照合手段の照合結果情報を前記属性配置推奨領域内の前記プリントデータとは異なるプリントデータに盛り込むことにより、紙等の出力先において属性配置推奨領域外の属性情報の存在を認識できることから、上記目的を達成しうるものである。
【００１８】
前記出力手段は、前記領域照合手段の照合結果として得られる前記属性配置推奨領域外の前記属性情報の状況を表す情報を前記プリントデータに付記することにより、紙等の出力先において印刷領域外に属性情報が配置されても印刷領域外の属性情報の状況が認識可能なことから、上記目的を達成しうるものである。
【００１９】
前記領域設定手段は、前記領域照合手段の照合結果に基づき前記属性配置推奨領域を再設定することにより、オペレータに属性配置推奨領域外に属性情報が配置されている旨を、視覚的に認識させることから上記目的を達成しうるものである。
【００２０】
前記属性情報を前記属性配置推奨領域内への配置を禁止する領域配置禁止手段を有することにより、属性配置推奨領域外に属性情報を配置することを未然に防止することから上記目的を達成しうるものである。
【００２１】
前記属性情報を前記属性配置推奨領域外への配置を禁止する領域配置禁止手段を有することにより、属性配置推奨領域外に属性情報を配置することを未然に防止することから上記目的を達成しうるものである。
【００２２】
３次元モデルに対する属性情報が配置される属性配置平面を前記３次元モデルと同一の３次元空間上に仮想的に表示する表示工程と、前記属性配置平面に属性配置推奨領域を設定する領域設定工程と、前記属性情報の配置が前記属性配置推奨領域の領域内あるいは領域外かを判定する領域照合工程と、前記領域照合工程による結果を報知する報知工程とを有することにより、属性情報の配置箇所を把握できることから上記目的を達成しうるものである。
【００２３】
前記領域照合工程による結果を送信する送信工程を有し、該送信工程により前記結果を他の機器において報知する報知工程を有することにより、オペレータが設定領域外の情報を把握しやすくなることから、上記目的を達成しうるものである。
【００２４】
前記報知工程は、前記領域照合工程の照合結果として、前記属性情報を識別可能に表示して報知する報知工程であることにより、ＣＡＤ画面上で属性配置推奨領域外の属性情報を把握し易くなることから、上記目的を達成しうるものである。
【００２５】
前記報知工程は、前記領域照合工程の照合結果として、前記属性配置推奨領域の前記属性情報が関連付けられている前記属性配置平面を報知することにより、出力先においてもＣＡＤ上での属性配置推奨領域外の属性情報を把握しやすくなることから、上記目的を達成しうるものである。
【００２６】
前記報知工程は、前記領域照合工程の照合結果として、前記属性情報が関連付いている３次元モデルの要素を識別可能に表示して報知する報知工程であることにより、出力先において属性配置推奨領域外の属性情報を把握できることから、上記目的を達成しうるものである。
【００２７】
前記属性配置推奨領域内の画像情報をプリントデータとして出力する出力工程を有することにより、紙等の出力先において属性は位置推奨領域外の属性情報の配置を把握し易くなることから、上記目的を達成しうるものである。
【００２８】
前記出力工程は、前記領域照合工程の照合結果情報を前記プリントデータに付記することにより、紙等の出力先において属性配置推奨領域外の属性情報の存在を認識できることから、上記目的を達成しうるものである。
【００２９】
前記出力工程は、前記領域照合工程の照合結果情報を前記属性配置推奨領域内の前記プリントデータとは異なるプリントデータに盛り込むことにより、紙等の出力先において属性配置推奨領域外の属性情報の存在を認識できることから、上記目的を達成しうるものである。
【００３０】
前記出力工程は、前記領域照合工程の照合結果として得られる前記属性配置推奨領域外の前記属性情報の状況を表す情報を前記プリントデータに付記することにより、紙等の出力先において印刷領域外に属性情報が配置されても印刷領域外の属性情報の状況が認識可能なことから、上記目的を達成しうるものである。
【００３１】
前記領域設定工程は、前記領域照合工程の照合結果に基づき前記属性配置推奨領域を再設定することにより、オペレータに属性配置推奨領域外に属性情報が配置されている旨を、視覚的に認識させることから上記目的を達成しうるものである。
【００３２】
前記属性情報を前記属性配置推奨領域内への配置を禁止する領域配置禁止工程を有することにより、属性配置推奨領域外に属性情報を配置することを未然に防止することから上記目的を達成しうるものである。
【００３３】
前記属性情報を前記属性配置推奨領域外への配置を禁止する領域配置禁止工程を有することにより、属性配置推奨領域外に属性情報を配置することを未然に防止することから上記目的を達成しうるものである。
【発明の効果】
【００３４】
以上説明した通り本発明によれば、属性配置推奨領域外に属性情報が配置されていることをオペレータに報知することにより、間違った配置を未然に防ぐことができる。
【００３５】
また、オペレータが３Ｄ図面を出力する際に、属性配置推奨領域外に必要な属性情報が配置されていても、その存在を認識し誤った出力を未然に防ぐことができる。さらに出力先を見た際に、属性配置推奨領域外に配置された属性情報の状況が認識できることから、ＣＡＤ画面上においても容易に領域外の属性情報の状況を把握できる。
【発明を実施するための最良の形態】
【００３６】
（実施例１）
本発明の一実施例について説明する。
【００３７】
ここで、属性配置平面とは属性情報を作成した際に関連付ける平面のことで、関連付けて配置することにより属性情報を見やすく画面上に表示することができる（例えば、特許文献１参照）。また属性配置推奨領域とは、紙等の出力先の印刷領域を表すもので、属性配置平面上に設定される。なお、図中の「Ｓ」は、「ステップ」を意味することとする。
【００３８】
図２に示す情報処理装置、例えばＣＡＤ装置を用いた部品の設計について説明する。
【００３９】
図２は、ＣＡＤ装置のブロック図である。図において２０１は内部記憶装置、２０２は外部記憶装置でありＣＡＤデータやＣＡＤプログラムを保管するＲＡＭ等の半導体記憶装置、磁気記憶装置等からなる。
【００４０】
２０３はＣＰＵ装置であり、ＣＡＤプログラムの命令に沿って処理を実行する。
【００４１】
２０４は表示装置であり、ＣＰＵ装置２０３の命令に沿って形状等を表示する。
【００４２】
２０５はＣＡＤプログラムに対して指示等を与えるマウス、キーボード等の入力装置である。
【００４３】
２０６はＣＰＵ装置２０３の命令に沿って紙等を出力するプリンタ等の出力装置である。
【００４４】
２０７は外部接続装置であり、本ＣＡＤ装置と外部の装置とを接続し、本装置からのデータを外部装置へ供給したり外部の装置から本装置を制御したりする。
【００４５】
続いて本発明の主眼である、属性情報の属性配置推奨領域内外への配置におけるオペレータへの報知について説明する。
【００４６】
図１は、図２に示したＣＡＤ装置を用いて判定、報知、出力の一連の処理動作を示すフローチャートである。
【００４７】
まず、オペレータが入力装置２０５によりＣＡＤプログラムの起動を指示すると、外部記憶装置２０２に格納されているＣＡＤプログラムが内部記憶装置２０１に読み込まれ、ＣＡＤプログラムがＣＰＵ装置２０３上で実行される（ステップ１０１）。
【００４８】
オペレータが入力装置２０５により対話的に指示することにより、内部記憶装置２０１上に形状モデルを生成し、表示装置２０４上に画像として表示する（ステップ１０２）。なお、オペレータが入力装置２０５によりファイル名等を指定することにより、既に外部記憶装置２０２上に作成されている形状モデルをＣＡＤプログラム上で取り扱えるように、内部記憶装置２０１に読み込むこともできる。
【００４９】
オペレータが入力装置２０５により、形状モデルを作成した３次元空間内に、属性配置平面を作成する（ステップ１０３）。
【００５０】
この属性配置平面の位置が判別しやすいように、フレーム（２重枠、枠内塗りつぶし）等の画像情報として表示装置に表示する。また、属性配置平面の設定情報は形状モデルに関連付けられて内部記憶装置２０１に保管される。
また、必要に応じて作成した属性配置平面に名称をつけることが望ましい。
【００５１】
オペレータが入力装置２０５により、属性配置平面上に属性配置推奨領域を作成する（ステップ１０４）。ここで図１４に示すように、先に作成された属性配置平面のフレームが新規に作成、あるいは属性配置推奨領域を囲うように変更される。１４−１図は、属性配置推奨領域を作成する前の画面を表した図である。１４−２図は、属性配置推奨領域を表すフレームが新規に作成される様子を表した図である。１４−３図は属性配置平面のフレームが属性配置推奨領域を表すフレームに変更される様子を表した図である。
【００５２】
オペレータが入力装置２０５により形状モデルに対して寸法公差等を属性情報として付加する（ステップ１０５）。付加された属性情報は、画像情報として表示装置に表示することができる。付加された属性情報は、形状モデルに関連付けられて内部記憶装置２０１に保管される。
【００５３】
オペレータが入力装置２０５により、属性情報を属性配置平面に対して関連付ける。（ステップ１０６）
属性情報と属性配置平面と属性配置推奨領域の関連情報は、内部記憶装置２０１に保管される。
【００５４】
オペレータがあらかじめ属性配置平面を指定して、属性配置平面との関連付けを行いながら属性付けを行うようにしても良い。また、オペレータが入力装置２０５により、属性情報の属性配置平面への関連付けを設定・解除することができる。
【００５５】
次に、オペレータは入力装置２０５により、属性配置平面を指定することによって属性配置平面、およびその属性配置平面に関連付けられた寸法公差等の属性情報の表示・非表示、あるいは色付け等の表示制御を行う（ステップ１０７）。
【００５６】
次にオペレータが入力装置２０５により領域照合プログラムの起動を指示すると、外部記憶装置２０２に格納されている領域照合プログラムが内部記憶装置２０１に読み込まれ、領域照合プログラムがＣＰＵ装置２０３上で実行される（ステップ１０８）。
【００５７】
領域照合プログラムがＣＰＵ装置２０３上で実行されると、外部記憶装置２０２に格納されている報知プログラムがＣＰＵ装置２０３上で実行され、表示装置２０４に表示される（ステップ１０９）。
【００５８】
また、オペレータが入力装置２０５により属性配置平面を作成する際に、属性配置平面の視点の位置、視線方向、倍率を設定する。この属性配置平面表示情報を設定し、この属性配置平面を指定することで、設定された視点の位置、視線方向、倍率で形状モデルを表示することができる。またこの属性配置平面と属性情報は関連付けられているので、指定された属性配置平面に関係付けられている属性情報を選択的に表示することができる。属性配置平面表示情報は内部記憶装置２０１に保管される。
【００５９】
オペレータの指示により、属性情報を外部記憶装置２０２等に保管することができる（ステップ１１０）。
【００６０】
属性情報に識別子を付加することができ、この識別子を付加して外部記憶装置２０２に保管することができる。この識別子を利用して他のデータと属性データを関連付けることができる。
【００６１】
外部記憶装置２０２上の属性情報に情報を追加したものを内部記憶装置２０１に読み込んで、属性情報を更新することができる。
【００６２】
オペレータが入力装置２０５により、形状モデルに属性配置平面の位置情報、属性配置平面の表示情報、属性配置推奨領域の位置情報、属性配置推奨領域の表示情報、属性情報を付加したＣＡＤ属性モデルおよび照合結果を外部記憶装置２０２に保管する（ステップ１１１）。
【００６３】
図３は領域照合に基づいた結果を表示した画面である。本例３−１図では、属性配置推奨領域を枠３０内に設定している。３−２図に示すように、領域外に配置した属性情報の表示は識別可能に変更される。３−２図は属性情報を属性配置推奨領域外に配置したため、属性情報のフォント変更を行い、報知を行っている様子を表したものである。属性情報の表示の変更による報知は、フォントの変更に限ったものではなく、文字色の変更や、大きさの変更、３−３図のように属性情報が属性配置推奨領域外に配置されたことを示す文字情報（ここでは「領域外」）が表示されて報知がなされるというような、オペレータに識別可能な表示であれば良い。
図４は属性配置推奨領域ではない位置に配置した属性情報を属性配置平面に関連付けた際、属性配置推奨領域の表示を変更することでオペレータに報知する様子を表したものである。本例４−１図では、属性配置推奨領域を枠４０内に設定している。４−２図では属性情報を属性配置推奨領域外に配置した際の画面を表したものであるが、ここでは枠４０の色を変更して報知している。また、４−３図では枠４０のみならず領域全体を塗りつぶして識別できるように表示を変更して報知している。４−４図では、属性配置推奨領域示す枠を点線表示させたものである。属性配置推奨領域の表示を識別可能に変更するのは本例に限ったものではなく、枠の形状の変更、属性配置推奨領域近傍に領域外の属性情報が関連付いている旨を表す文字情報等、オペレータに識別可能な表示であれば良い。
【００６４】
図５は、属性情報が属性配置推奨領域外に配置された際、該属性情報が関連付いている３次元モデルの要素が識別可能に変更された様子を示したものである。本例では属性情報が引き出されている要素の色が変更されているがこれに限ったものではなく、要素のハイライトや、属性配置推奨領域に配置されていない属性情報が関連付いている３次元モデルの要素であるというような文字情報の表示等、オペレータに識別可能な表示であれば良い。
【００６５】
図６は、属性配置推奨領域外に属性情報が配置されている際に、画像情報をプリントデータとして出力するまでを表す図２に示したＣＡＤ装置の処理動作を示すフローチャートである。
【００６６】
まず始めに、オペレータが入力装置２０５により属性情報、属性配置平面、３次元モデルを作成し、属性配置推奨領域を設定する（ステップ６０１）。次にオペレータが入力装置２０５で属性情報を配置する。配置された属性情報、及びステップ６０１で作成されたものは内部記憶装置２０１に記憶される（ステップ６０２）。属性情報の配置を行うと、外部記憶装置２０２に格納されている判定プログラムがＣＰＵ装置２０３上で実行され、作成された属性情報が属性配置推奨領域に配置されたかの判定を行う（ステップ６０３）。次にオペレータが入力装置２０５により、出力プログラムの起動を指示すると、外部記憶装置２０２に格納されている出力プログラムが内部記憶装置２０１に呼び込まれ、出力プログラムがＣＰＵ装置２０３上で実行される。この際、ステップ６０３の判定結果に基づき、属性配置推奨領域外に属性情報が配置されている場合はそのまま出力して良いかの確認を入力装置２０５で行う（ステップ６０８）。属性配置推奨領域外に配置されていないのであれば、そのまま出力へと移る（ステップ６０４）。属性配置推奨領域外に属性情報が配置されている場合は、その旨をプリントデータにした上で、出力先に付記するか否かの選択を行う（ステップ６０５）。最後に出力プログラムがＣＰＵ装置２０３上で実行されると、外部記憶装置２０２に格納されている送信プログラムがＣＰＵ装置２０３上で実行され、出力装置２０６に出力される（ステップ６０６）。
【００６７】
図７は属性配置推奨領域外に属性情報を配置した際の紙等への出力結果の様子である。属性配置推奨領域外に属性情報が配置してある場合は、出力結果にその旨付記される。７−１図では文字情報が付記されており、７−２図では記号が付記されている。なお、識別可能な表示であればこれに限ったものでない。また、付記の有無や記載箇所は任意に設定できる。このような付記があることにより、出力結果を見て属性配置推奨領域外に配置された属性情報の有無がわかるので、属性情報を見落とすことが無くなる。
【００６８】
図８は属性情報を属性配置推奨領域外に配置した為、出力先の印刷領域に記載されない属性情報について、その状況を出力先に付記した様子を表した図である。属性情報の状況とは、属性配置推奨領域の任意に設定される基準から見た場合に、領域外の属性情報の配置箇所の方向や、寸法数値、同一方向の領域外に配置されている属性情報の数等である。８−１図では、出力中心からの方向を記号「●」で付記し、出力中心と「●」を結ぶ方向に配置された領域外の属性情報の個数を付記している。８−２図は、領域外に配置された属性情報の寸法数値そのものを付記している。このような付記をすることで、出力先を見た後で、ＣＡＤ画面上において属性配置推奨領域外に配置された属性情報の配置箇所等の状況が把握し易くなる。なお基準は、出力中心に限ったものではなく任意に設定できる。また、図８は説明のために属性配置推奨領域外の属性情報を模式的に表現したものである。
【００６９】
図９は、属性情報を属性配置推奨領域外に配置した際、その属性情報を領域内に収めるように、属性配置推奨領域の領域サイズが変更される一連の流れを表したフローチャートである。
【００７０】
まず始めに、属性配置平面に属性配置推奨領域を設定する（ステップ９０１）。次に属性情報を作成する（ステップ９０２）。属性情報を配置する（ステップ９０３）。次に属性情報の配置が属性配置推奨領域の領域内か、領域外かの判定を行う（ステップ９０４）。ここで、属性情報を属性配置推奨領域内に配置すると一連の作業は終了となる（ステップ９０５）が、属性配置推奨領域外に配置すると、警告がＯＮの時は再配置を行うか否かの警告が表示され（ステップ９０６）、ここで属性情報を再配置する場合は再びステップ９０３へと戻る（ステップ９０７）。警告がＯＦＦもしくは、再配置をしない場合は属性配置推奨領域を変更するか否かの表示がなされ（ステップ９０８）、ＮＯの場合は、属性配置推奨領域外に属性情報が配置されて一連の作業は終了となる（ステップ９０９）。ＹＥＳの場合は、その属性配置推奨領域外に配置された属性情報が属性配置推奨領域内に収まるように属性配置推奨領域が変化し、一連の作業は終了となる（ステップ９１０）。なお、上記属性配置推奨領域の変更は紙サイズに合わせて段階的に変更されても良い。この機能があることで出力した際、必要な形状データが必ず記載される。
【００７１】
図１０は、属性情報を属性配置推奨領域外に配置した際、その属性情報を属性配置推奨領域内に収めるように、属性配置推奨領域の領域サイズが変更される様子を表した図である。
【００７２】
次に３Ｄ図面を後工程の他の設計者あるいは技術者に見せる場合において、属性配置推奨領域内にアドバイスや注意を誤って書き足すもしくは、属性情報が削除されてしまうことを防ぐために、以下の機能を必要とする。また、属性配置推奨領域外に属性情報が配置された為、ＣＡＤ画面上もしくは出力先で必要な属性情報を見落とすことを防止するために以下の機能を必要とする。
【００７３】
図１１は、属性情報を作成して属性配置推奨領域に配置する場合、オペレータの設定する属性情報の配置を許す範囲が属性配置推奨領域外あるいは属性配置推奨領域内のどちらか片方のみでしか行えない場合の一連の流れを表すフローチャートである。
【００７４】
ここで、属性配置推奨領域内のみに属性情報の配置を限定することで、領域外に属性情報が配置されることが無くなり、ＣＡＤ画面上あるいは出力先で属性情報を見落とすということが無くなる。一方、属性配置推奨領域外のみに属性情報の配置を限定することで、他の設計者あるいは技術者による領域内への余計な書き込みや属性情報の削除を防ぐことができる。
【００７５】
まず始めに属性情報を配置できない領域（以後、属性配置禁止領域と呼ぶ）を属性配置推奨領域の内側か外側かを設定する（ステップ１１０１）。次に属性情報を作成する（ステップ１１０２）。ステップ１１０２で作成した属性情報を配置する（ステップ１１０３）。この場合、配置箇所が属性配置禁止領域でなければ終了し、禁止領域であれば再配置を行う（ステップ１１０４）。
【００７６】
図１２は、属性情報を作成して領域に配置する際、属性配置禁止領域に属性情報を配置しようとすると警告が表示される様子を表した図である。この場合１２−１図のように属性配置推奨領域内を属性配置禁止領域に設定したのであれば、属性配置推奨領域内に属性情報を配置しようとしても警告が表示されて配置ができない。同様に１２−２図のように属性配置推奨領域外を属性配置禁止領域に設定したのであれば、属性配置推奨領域外に配置しようとしても警告が表示されて配置ができない。このような機能があることで、余計な書き込みや属性情報の削除を防ぎ必要な情報の見落としもしないことから、オペレータに正確な情報を伝達することができる。
【００７７】
図１３は、先に属性情報を作成し、後から属性配置推奨領域を設定した際に、属性情報の配置を変更する一連の流れを表したフローチャートである。
【００７８】
まず始めに、属性配置平面を作成する（ステップ１３０１）。次に属性情報を作成し、属性配置平面に関連付ける（ステップ１３０２）。属性配置推奨領域を属性配置平面上に設定する（ステップ１３０３）。ここで、先に作成した全ての属性情報がステップ１３０３で作成した属性配置推奨領域内に収まるかの判定を行い、領域外に属性情報が配置してある場合は、領域サイズの変更を行うか否かの選択を行う（ステップ１３０４）。領域サイズの変更を行う場合は、全ての属性情報が領域内に収まるように属性配置推奨領域のサイズを変更して終了する。この時、紙サイズの大きさで段階的に領域サイズが変更されても良い。領域サイズの変更を行わない場合は、再配置を行う。ただし、領域サイズの変更も属性情報の再配置も行わない場合は、領域外に配置される（ステップ１３０５）。この機能があることで、属性配置推奨領域を気にかけることなく３Ｄ図面を作成することができる。
【図面の簡単な説明】
【００７９】
【図１】ＣＡＤ装置の処理動作を示すフローチャートである。
【図２】ＣＡＤ装置のブロック図である。
【図３】照合結果に基づき、報知した際の画面表示を示した図である。
【図４】照合結果に基づき、報知した際の属性配置推奨領域の画面表示を示した図である。
【図５】照合結果に基づき３次元モデルの要素の内、対象となる属性情報が関連付いている要素が識別可能に変更して報知する際の画面表示を示した図である。
【図６】属性配置推奨領域外に属性情報を配置した際に、出力先にその旨記載されるまでの一連の流れを表したフローチャートである。
【図７】属性配置推奨領域外に属性情報が配置している際、出力先に記載される報知の様子を表した図である。
【図８】属性配置推奨領域外に属性情報が配置されている際、出力先に属性配置推奨領域外の属性情報の状況が記載される様子を表した図である。
【図９】属性配置推奨領域外に属性情報を配置した際、その属性情報を属性配置推奨領域内に収容する為、属性配置推奨領域を変更する一連の流れを表したフローチャートである。
【図１０】属性配置推奨領域外に属性情報を配置した際、その属性情報を属性配置推奨領域内に収容する為、属性配置推奨領域が変更する様子を表した図である。
【図１１】属性配置推奨領域外あるいは属性配置推奨領域内のどちらか片方の配置しか許さない場合の一連の流れを表すフローチャートである。
【図１２】オペレータの設定した属性配置推奨領域外もしくは、属性配置推奨領域内のみの配置しか許さない場合の画面表示を表した図である。
【図１３】先に属性情報を作成して、後から属性配置推奨領域を設定する際の一連の流れを表したフローチャートである。
【図１４】属性配置平面のフレームが新規に作成、あるいは属性配置推奨領域を囲うように変更された図。
【図１】
2005174078.tif 000003
【図２】
2005174078.tif 000004
【図３】
2005174078.tif 000005
【図４】
2005174078.tif 000006
【図５】
2005174078.tif 000007
【図６】
2005174078.tif 000008
【図７】
2005174078.tif 000009
【図８】
2005174078.tif 000010
【図９】
2005174078.tif 000011
【図１０】
2005174078.tif 000012
【図１１】
2005174078.tif 000013
【図１２】
2005174078.tif 000014
【図１３】
2005174078.tif 000015
【図１４】
2005174078.tif 000016